(57)【要約】【課題】変形可能なマッサージ袋を構成できる振動カプセルの提供。【解決手段】振動カプセルは電気コードで数珠繋ぎして使用するものであって、球形カプセル１０と、この球形カプセル１０内に設けた振動モータ２０とを有する。球形カプセル１０は、同形一対の半球殻状のカプセル半体１０Ａ，１０Ｂと、外から第１のプラグＰ１が差し込み可能な第１の給電端子Ｔ１を保持する第１の端子ホルダー１２Ａと、外から第２のプラグＰ２が差し込み可能な第２の給電端子Ｔ２を保持する第２の端子ホルダー１２Ｂとを有する。【選択図】      図１
2008148837.tif 000002
【特許請求の範囲】
【請求項１】
カプセル内に設けた振動装置と、外から第１のコネクターが差し込み可能であって前記カプセルの壁面に設けた第１の給電端子と、外から第２のコネクターが差し込み可能であって前記カプセルの壁面に設けた第２の給電端子と、第１及び第２の給電端子が前記振動装置の端子にそれぞれ接続されていることを特徴とする振動カプセル。
【請求項２】
請求項１に記載の振動カプセルにおいて、前記カプセルは、第１のカプセル半体とこれと同形な第２のカプセル半体とを組み合わせて成ることを特徴とする振動カプセル。
【請求項３】
請求項２に記載の振動カプセルにおいて、第１の給電端子を保持する第１の端子ホルダーと、第２の給電端子を保持する第２の端子ホルダーとを有し、第１及び第２の端子ホルダーは第１及び第２のカプセル半体に回動可能に支持されていることを特徴とする振動カプセル。
【発明の詳細な説明】
【技術分野】
【０００１】
本発明は、適宜な形状のマッサージ袋などを構成できる振動カプセルに関する。
【背景技術】
【０００２】
例えば特開２００５−２１８６６７には、振動装置と、これに給電する電源と、電源をオン・オフする入力部などを内蔵したマッサージ機能付きシートを履物の中敷やサポータに使用することが開示されている。
【特許文献１】特開２００５−２１８６６７（図１）
【発明の開示】
【発明が解決しようとする課題】
【０００３】
このマッサージ機能付きシートは特定部分に貼り付けて使用するものであるから、多数枚貼り付けた場合でも振動源は面的な範囲に限定されている。また、身体の任意の箇所をマッサージするためには、マッサージ前にその箇所に貼り付け、マッサージ後にその箇所から剥離する手間が必要である。
【０００４】
そこで上記問題点に鑑み、本発明の課題は、変形可能なマッサージ袋を構成できる振動カプセルを提供することにある。
【課題を解決するための手段】
【０００５】
本発明に係る振動カプセルは、カプセル内に設けた振動装置と、外から第１のコネクターが差し込み可能であってカプセルの壁面に設けた第１の給電端子と、外から第２のコネクターが差し込み可能であってカプセルの壁面に設けた第２の給電端子と、第１及び第２の給電端子が振動装置の端子にそれぞれ接続されていることを特徴とする。
【０００６】
上記の振動カプセルを必要個数だけ準備し、ある振動カプセルの第２の給電端子と別の振動カプセルの第１の給電端子を電気コードを介して接続することにより、数珠繋ぎ状の振動カプセルを構成できるため、これをまとめて例えば適宜な布製カバー内に塊として詰め込みマッサージ袋を完成し、最初の振動カプセルの第１の給電端子に電源を加えると、マッサージ袋内の多数の振動カプセルが一斉に振動する。マッサージ袋を身体の各部に押し当てると、マッサージ袋内の各振動カプセルは電気コードの柔軟性によりある程度の自由度を以って移動するので、身体の各部形状に倣って変形でき、マッサージ効果を高めることができる。このマッサージ袋は枕，クッション，布団などとして使用できるが、数珠繋ぎ状の振動カプセルを身体に巻き付けて使用しても良い。
【０００７】
このカプセルとしては、第１のカプセル半体とこれを同形な第２のカプセル半体とを組み合わせて成ることが望ましい。カプセル製造の容易化を図ることができる。
【０００８】
第１の給電端子を保持する第１の端子ホルダーと、第２の給電端子を保持する第２の端子ホルダーとを有し、第１及び第２の端子ホルダーは第１及び第２のカプセル半体に回動可能に支持されていることが望ましい。それぞれの端子ホルダーがカプセル半体に対して回動可能となっているため、電気コードに捩れや屈曲等が加わった場合、それを緩和する方向に端子ホルダーが回動するので、電気コードの断線等を抑制できる。
【発明の効果】
【０００９】
本発明に係る振動カプセルによれば、変形可能なカバーなどで閉じられた空間内に詰め込み可能であって、互いにある程度の移動自由度を持つため、多元的振動源の集合体であるマッサージ袋を構成できる。
【発明を実施するための最良の形態】
【００１０】
次に、本発明の実施形態を添付図面に基づいて説明する。図１は本発明の一実施例に係る振動カプセルの組み立て状態を示す断面図、図２はその状態を示す斜視図、図３はその状態を別の方向から見た斜視図である。
【００１１】
本例の振動カプセルは、例えば直径１ｃｍ〜２ｃｍ程度の樹脂製球形カプセル１０と、この球形カプセル１０内に設けた振動モータ２０とを有する。この球形カプセル１０は、同形一対の半球殻状のカプセル半体１０Ａ，１０Ｂと、第１の給電端子Ｔ１を保持する第１の端子ホルダー１２Ａと、第２の給電端子Ｔ２を保持する第２の端子ホルダー１２Ｂとを有する。
【００１２】
各カプセル半体１０Ａ，１０Ｂは、半球殻部１内の底に起立して振動モータ２０を収容する角筒部２を一体的に有し、半球殻部１の開口縁１ａには相対向した半円状で同形の第１及び第２の切り欠き３Ａ，３Ｂが形成されている。角筒部２の頂面対角隅部には差し込み穴Ｈが形成され、残る対角隅部には差し込み柱Ｃが一体的に形成されている。
【００１３】
第１の給電端子Ｔ１と第２の給電端子Ｔ２とは同一であって、第１の端子ホルダー１２Ａと第２の端子ホルダー１２Ｂとも同一である。端子ホルダー１２Ａ，１２Ｂは雌形の給電端子Ｔ１，Ｔ２を収納位置決めする端子収納孔１４と、切り欠き３Ａ，３Ｂの縁に遊嵌する周溝１６とを有する円盤状である。
【００１４】
振動モータ２０は、後部に２本のモータ端子Ｅが突出したモータ本体２１と、このモータ本体から前方へ突出した回転軸Ｓに取着された偏心錘Ｗとを有し、第１の給電端子Ｔ１は２本のリード線Ｌ１を介して振動モータ２０のモータ端子Ｅに接続されていると共に、第２の給電端子Ｔ２は２本のリード線Ｌ２を介して振動モータ２０のモータ端子Ｅに接続されており、第１の給電端子Ｔ１と第２の給電端子Ｔ２とはモータ端子Ｅを介して直列接続している。
【００１５】
図１に示す如く、振動モータ２０の偏心錘Ｗ側を例えば第２のカプセル半体１０Ｂの角筒部２内に収納し、第２のカプセル半体１０Ｂの第１及び第２の切り欠き３Ａ，３Ｂの縁を第１及び第２の端子ホルダー１２Ａ，１２Ｂの周溝１６に係合させた状態で、第１のカプセル半体１０Ａを第２のカプセル半体１０Ｂに被せて第１のカプセル半体１０Ａの第１及び第２の切り欠き３Ａ，３Ｂの縁を第１及び第２の端子ホルダー１２Ａ，１２Ｂの周溝１６に係合させるようにして、差し込み穴Ｈと差し込み柱Ｃとを嵌め合わせて両カプセル半体１０Ａ，１０Ｂを組み合わせ、球状の振動カプセルを完成する。
【００１６】
このような振動カプセルを必要個数だけ準備し、両端プラグ付きの電気コードを用い、振動カプセルの第２の給電端子Ｔ２にプラグＰ２を差し込み、別の振動カプセルの第１の給電端子Ｔ１にプラグＰ１を差し込む操作を繰り返すことにより、数珠繋ぎ状の振動カプセルを構成する。この数珠繋ぎ状の振動カプセルをまとめて例えば布製カバー内に塊として詰め込み、マッサージ袋を完成する。
【００１７】
最初の振動カプセルの第１の給電端子Ｔ１に電源コードのプラグを差し込むことにより、マッサージ袋内の多数の振動カプセルが一斉に振動するため、カバー空間内で多元的振動源の集合体を構成できる。マッサージ袋を身体の各部に押し当てると、それに従ってマッサージ袋内の各振動カプセルが電気コードの柔軟性によりある程度の自由度を以って移動するので、身体の各部形状に倣って形状変態し、多元的振動源によりマッサージ効果を高めることができる。このマッサージ袋は枕，クッション，布団などとして使用できるが、数珠繋ぎ状の振動カプセルを身体に巻き付けて使用しても良い。カプセルの比重を考慮すれば、浴槽内での使用も可能である。
【００１８】
特に、振動カプセルの端子ホルダー１２Ａ，１２Ｂはその周溝１６と切り欠き３Ａ，３Ｂの縁との摺接によりカプセル半体１０Ａ，１０Ｂに対して回動可能であるため、電気コードに捩れや屈曲等が加わった場合、それを緩和する方向に端子ホルダー１２Ａ，１２Ｂが回動するので、電気コードの断線等を抑制できる。
【００１９】
なお、端子ホルダー１２Ａ，１２Ｂの回り過ぎを防ぐため、適宜の回動範囲に限定すべく回り止め部を端子ホルダー１２Ａ，１２Ｂとカプセル半体１０Ａ，１０Ｂとに設けても良い。
【図面の簡単な説明】
【００２０】
【図１】本発明の一実施例に係る振動カプセルの組み立て状態を示す断面図である。
【図２】同状態を示す斜視図である。
【図３】同状態を別の方向から見た斜視図である。
【符号の説明】
【００２１】
１…半球殻部
１ａ…開口縁
２…角筒部
３Ａ…第１の切り欠き
３Ｂ…第２の切り欠き
１０…樹脂製球形カプセル
１０Ａ…第１のカプセル半体
１０Ｂ…第２のカプセル半体
１２Ａ…第１の端子ホルダー
１２Ｂ…第２の端子ホルダー
１４…端子収納孔
１６…周溝
２０…振動モータ
２１…モータ本体
Ｃ…差し込み柱
Ｅ…モータ端子
Ｈ…差し込み穴
Ｌ１，Ｌ２…リード線
Ｐ１，Ｐ２…プラグ
Ｓ…回転軸
Ｔ１…第１の給電端子
Ｔ２…第２の給電端子
Ｗ…偏心錘
【図１】
2008148837.tif 000003
【図２】
2008148837.tif 000004
【図３】
2008148837.tif 000005